(57)【要約】      （修正有）【課題】温熱効果及び遠赤外線効果を有する携行可能な温熱マットを提供する。【解決手段】ベースマット１０と、キャップ状の本体２１と、前記本体２１の内部に設けられる加熱部材２２と、前記本体２１と加熱部材２２との間に充填される樹脂と石灰の混合物とを備えると共に、前記ベースマット１０に設けられる遠赤外線セラミック部材２０とを有することを特徴とする。【選択図】図２
0003141789.tif 000002
【実用新案登録請求の範囲】
【請求項１】
ベースマットと、
前記ベースマットの上面に設置されると共に、砲弾型の本体と、該本体の内部に設けられる加熱部材と、該本体と加熱部材との間に充填される樹脂と石灰の混合物とを備える遠赤外線セラミック部材とを有することを特徴とする温熱マット。
【請求項２】
さらに、前記ベースマットに設置されると共に、前記遠赤外線セラミック部材を保持するように前記加熱部材と電気接続されている回路板を有することを特徴とする請求項１に記載の温熱マット。
【請求項３】
さらに、前記回路板の上面に設置され、前記遠赤外線セラミック部材と対応する貫通孔が形成される軟質マットと、
前記ベースマットの裏面に設けられる面ファスナーと、
前記ベースマットの一側から延出し、末端近傍における、前記ベースマットの面ファスナーと対応する位置に面ファスナーが設けられている位置決め部材とを有することを特徴とする請求項２に記載の温熱マット。
【請求項４】
前記加熱部材が抵抗器であることを特徴とする請求項１乃至請求項３の何れか１項に記載の温熱マット。
【請求項５】
敷布団を構成することを特徴とする請求項１乃至請求項３の何れか１項に記載の温熱マット。
【考案の詳細な説明】
【技術分野】
【０００１】
本考案は、特に健康に有益な温熱効果及び遠赤外線効果を有する温熱マットに関するものである。
【背景技術】
【０００２】
遠赤外線に関する健康法については、例えば、「爽快！遠赤外線健康法（山崎敏子；１９９０年；台北；青春出版社）」などの刊行物により、遠赤外線が病気の治療に優れた効果を有することが記載され、係る資料によると、遠赤外線は、放射や浸透、共鳴、吸収などの特徴を有すると共に、生物細胞を活性化させ、生物体を活性化させるエネルギーを提供するものである。故に遠赤外線は、健康を増進し、体の機能を改善させることにより、病気を治療することができるものである。また、研究によると、遠赤外線は、創傷や消化器病、泌尿器病、高血圧、脳卒中、呼吸器病、五十肩、歯科疾病、麻痺、皮膚疾病などの病気において、治療効果が確認されているだけでなく、リハビリ及び疲労回復にも優れた効果を有することが分かっている。
【０００３】
上述したように、遠赤外線は、前記列挙したような様々な治療効果を有することから、例えば、遠赤外線サウナや遠赤外線ライト、遠赤外線ヒーター、或いは遠赤外線を放射する衣服又は中敷など、多種多様な遠赤外線製品が世に送り出されている。
【考案の開示】
【考案が解決しようとする課題】
【０００４】
前記従来の遠赤外線製品における、例えば、遠赤外線サウナや遠赤外線ライト、遠赤外線ヒーターなどは、温熱効果及び遠赤外線効果は有するが、サイズが非常に大きいので、持ち運ぶことができない。一方、前記遠赤外線を放射する衣服又は中敷などの遠赤外線製品は、身に付けて使用することにより遠赤外線効果を有するが、温熱効果は有しない。
【０００５】
そこで、案出されたのが本考案であって，温熱効果及び遠赤外線効果を有する持ち運び可能な温熱マットを提供することを目的としている。
【課題を解決するための手段】
【０００６】
本願の請求項１の考案は、ベースマットと、
前記ベースマットの上面に設置されると共に、砲弾型の本体と、該本体の内部に設けられる加熱部材と、該本体と加熱部材との間に充填される樹脂と石灰の混合物とを備える遠赤外線セラミック部材とを有することを特徴とする温熱マット、を提供する。
【０００７】
本願の請求項２の考案は、さらに、前記ベースマットに設置されると共に、前記遠赤外線セラミック部材を保持するように前記加熱部材と電気接続される回路板を有することを特徴とする請求項１に記載の温熱マット、を提供する。
【０００８】
本願の請求項３の考案は、さらに、前記回路板の上面に設置され、前記遠赤外線セラミック部材と対応する貫通孔が形成される軟質マットと、
前記ベースマットの裏面に設けられる面ファスナーと、
前記ベースマットの一側から延出し、末端近傍における、前記ベースマットの面ファスナーと対応する位置に面ファスナーが設けられている位置決め部材とを有することを特徴とする請求項２に記載の温熱マット、を提供する。
【０００９】
本願の請求項４の考案は、前記加熱部材が抵抗器であることを特徴とする請求項１乃至請求項３の何れか１項に記載の温熱マット、を提供する。
【００１０】
本願の請求項５の考案は、敷布団を構成することを特徴とする請求項１乃至請求項３の何れか１項に記載の温熱マット、を提供する。
【考案の効果】
【００１１】
本考案は上記の課題を解決するものであり、手で持ち易いサイズに形成されたべースマットと、規則的に又は不規則的に前記ベースマットに配置される前記遠赤外線セラミック部材とから構成され、使用する時には、該遠赤外線セラミック部材の本体の内部に設けられる加熱部材が発熱し，該本体を加熱することから、前記遠赤外線セラミック部材を好適な温度にすることにより、前記遠赤外線セラミック部材の遠赤外線効果を持続させることができる。
【００１２】
また、大面積のベースマットを用い、該大面積のベースマットに相当な数量の遠赤外線セラミック部材を設置することにより、敷布団を構成してもよい。        
上述の通り、本考案は、前記従来の課題を解決するものであり、温熱効果及び遠赤外線効果を有する持ち運び可能な温熱マットを提供することができる。また、本考案においては、大面積のベースマットを用いた構成とすることにより、敷布団として使用することもできる。
【考案を実施するための最良の形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１は本考案に係る温熱マットの斜視図であり、図２は本考案に係る温熱マットの分解斜視図であり、図３は本考案に係る温熱マットの側面断面図であり、図４は本考案に係る温熱マットの他の側面断面図であり、図５は本考案に係る温熱マットの部分斜視図であり、図６は本考案に係る温熱マットにおいてベルクロ部材が設けられた実施形態を示す斜視図であり、図７は本考案に係る温熱マットの使用状態を示す平面図である。
【００１５】
図１及び図２に示すように、本考案は、手で持ち易いサイズに形成された、矩形プレート体であるベースマット（１０）と、該ベースマット（１０）の上面に設置されると共に、砲弾型の本体（２１）と、該本体（２１）の内部に設けられる加熱部材（２２）と、該本体（２１）と加熱部材（２２）との間に充填される樹脂と石灰の混合物とを備える遠赤外線セラミック部材（２０）とを備える。
【００１６】
図３に示すように、前記遠赤外線セラミック部材（２０）は、前記ベースマット（１０）の上面に設置され、ナノ遠赤外線粉（図示せず）を含んだ陶土（符号なし）を焼成して得た砲弾型の本体（２１）と、該本体（２１）の内部に設けられる加熱部材（２２）とを備えるものであり、該砲弾型の本体（２１）は、底部に開口が形成されると共に、上部が半球状に形成されるものである。故に、使用者は、本考案に係る温熱マットを手で持って、体の部位に押圧することにより、マッサージ効果を得ることができる。
【００１７】
尚、本考案においては、その全体が、前記遠赤外線セラミック部材（２０）を嵌め込むための複数の貫通孔（符号なし）を有する上部プレート（６１）と、前記ベースマット（１０）の裏面に位置する下部プレート（６２）とからなるカバー部材（６０）により被包される構成あってもよい。
【００１８】
また、前記加熱部材（２２）は、遠赤外線セラミック部材（２０）の温度を、約摂氏４２〜４６度にまで加熱するためのものである。尚、前記加熱部材（２２）は、抵抗器であってもよい。
【００１９】
更に、前記加熱部材（２２）は、電力を提供する電源（図示せず）と電気接続される２本のリード線（２２２）を有し、該電源は、例えば、乾電池または商用電源であってもよい。また、交流電力を電源とする場合は、交流電力を直流電力に変換する整流器を用いて、交流電力を直流電力に変換し電源としても構わない。なお、前記電源と電気接続するために、前記加熱部材（２２）に電源コード（７０）が設けられると共に、前記カバー部材（６０）の上部プレート（６１）に該電源コード（７０）を延出するためのスリット（６１１）が形成される。
【００２０】
図４及び図５に示すように、前記加熱部材（２２）が抵抗器である実施例においては、さらに回路板（３０）を有し、該回路板（３０）は、前記加熱部材（２２）と電気接続されると共に、前記ベースマット（１０）に設けられる。また、本実施例における回路板（３０）は、リード線（２２２）を介して加熱部材（２２）と電気接続され、遠赤外線セラミック部材（２０）の本体（２１）は、該回路板（３０）における所定の位置に、加熱部材（２２）を被覆するように、例えば粘着などの方法によりに固設され、更に、電源コード（７０）は、前記回路板（３０）を介して該加熱部材（２２）と電気接続される。
【００２１】
また、本考案に係る温熱マットに高柔軟性を持たせるため、回路板（３０）にフレキシブル基板を用いてもよく、或いは複数の小面積のリジッド基板（３１）を用いてもよい。該複数の小面積のリジッド基板（３１）を用いた構成である場合は、該複数の小面積のリジッド基板（３１）の間に適当な隙間を有することから、本考案に係る温熱マットを折り曲げる時、該隙間によりスムーズに曲がるので、前記小面積のリジッド基板（３１）が硬質で可撓性を有しないものであったとしても、相当な柔軟性を得ることができる。
【００２２】
更に、前記各小面積のリジッド基板（３１）には、１つまたは複数の遠赤外線セラミック部材（２０）が配設され、該遠赤外線セラミック部材（２０）を有する小面積のリジッド基板（３１）同士は、直列回路または並列回路を構成するように互いに電気接続されて前記ベースマット（１０）に固設されると共に、それぞれ隣接する小面積のリジッド基板（３１）同士の間に位置決め効果を高めるための、例えばスプリングなどの連結部材（３２）が設けられる。
【００２３】
図１、図２、図５及び図６に示すように、本考案の他の実施例に係る温熱マットは、さらに軟質マット（４０）と、面ファスナー（１１）と、位置決め部材（５０）とを有し、該軟質マット（４０）は、遠赤外線セラミック部材（２０）と対応する位置に貫通孔（符号なし）が形成され、その貫通孔に前記遠赤外線セラミック部材（２０）が嵌るように回路板（３０）の上面に設置される。また、前記軟質マット（４０）は、複数の層を有する積層構造であってもよく、その場合、該軟質マット（４０）は、前記回路板（３０）の上面に設置される第１層（４１）と、該第１層（４１）の上面に設置される第２層（４２）とからなり、該第１層（４１）及び第２層（４２）には夫々、前記遠赤外線セラミック部材（２０）を嵌め込むための複数の貫通孔が形成される。尚、前記第２層（４２）は、カバー部材（６０）の上部プレート（６１）の裏側と結合されてもよい。
【００２４】
図６に示すように、前記面ファスナー（１１）は、ベースマット（１０）の裏側に設けられると共に、前記位置決め部材（５０）は、ベースマット（１０）の一側に延設され、その末端近傍における、該ベースマット（１０）の面ファスナー（１１）と対応する位置に面ファスナー（５１）が設けられる。
【００２５】
図７に示すように、上述したような面ファスナー（１１）と位置決め部材（５０）とを有する温熱マットを使用する時は、単に複数の遠赤外線セラミック部材（２０）を、所望の箇所、例えば腕など体の部位（８０）に押し当て、それから該位置決め部材（５０）における面ファスナー（５１）を、面ファスナー（１１）と結合させ、温熱マットを体の部位（８０）に固定させればよい。これにより、遠赤外線セラミック部材（２０）による温熱効果及び遠赤外線効果を持続的に得ることができる。
【００２６】
また、前記各実施例以外に、大面積のベースマット（１０）を用い、該大面積のベースマット（１０）に相当な数量の遠赤外線セラミック部材（２０）を設置することにより、敷布団（図示せず）を構成してもよい。更に、前記敷布団に上部が半球状の遠赤外線セラミック部材（２０）を用いた場合、横になった使用者にさらにマッサージ効果を提供することができる。尚、前記敷布団型の温熱マットの場合、消費電力が大きいので、交流電力を電源とすることが好ましい。
【産業上の利用可能性】
【００２７】
本考案は上記の構成を有するので、従来の製品における問題点を改善し、温熱効果及び遠赤外線効果を有する持ち運び可能な温熱マットを提供できるだけではなく、温熱マット全体の構造を大面積とすることにより、敷布団としても使用することができる。
【図面の簡単な説明】
【００２８】
【図１】本考案に係る温熱マットの斜視図である。
【図２】本考案に係る温熱マットの分解斜視図である。
【図３】本考案に係る温熱マットの側面断面図である。
【図４】本考案に係る温熱マットの他の側面断面図である。
【図５】本考案に係る温熱マットの部分斜視図である。
【図６】本考案に係る温熱マットにおいてベルクロ部材が設けられた実施形態を示す斜視図である。
【図７】本考案に係る温熱マットの使用状態を示す平面図である。
【符号の説明】
【００２９】
１０    べ−スマット
１１    面ファスナー
２０    遠赤外線セラミック部材
２１    本体
２２    加熱部材
２２２  リード線
３０    回路板
３１    小面積のリジッド基板
３２    連結部材
４０    軟質マット
４１    第１層
４２    第２層
５０    位置決め部材
５１    面ファスナー
６０    カバー部材
６１    上部プレート（上部シート）
６１１  スリット
６２    下部プレート（下部シート）
７０    電源コード
８０    体の部位
【図１】
0003141789.tif 000003
【図２】
0003141789.tif 000004
【図３】
0003141789.tif 000005
【図４】
0003141789.tif 000006
【図５】
0003141789.tif 000007
【図６】
0003141789.tif 000008
【図７】
0003141789.tif 000009